(57)【要約】【課題】枠体と補強部材との間に水が浸入することを適切に抑えることにある。【解決手段】枠体本体と前記枠体本体から延出するヒレ部を有する枠体と、前記ヒレ部に沿うように延出し、前記ヒレ部を躯体と挟み込んだ状態で締結部材により躯体に締結された第一延出部と、前記第一延出部の一端部から前記枠体本体に沿うように室外側へ向かって延出する第二延出部と、を有するＬ字形状の補強部材と、を有する建具であって、前記第一延出部と前記ヒレ部に挟まれて圧縮された第一部分と、前記第二延出部と前記枠体本体に挟まれて圧縮された第二部分と、を有するＬ字形状の水密材を備え、前記第二部分の室外側先端部以外の部分に、圧縮された前記第二部分の前記第二延出部に対する反発力を軽減するための軽減部が設けられていることを特徴とする。【選択図】図５
2017133215.tif 000002
【特許請求の範囲】
【請求項１】
枠体本体と前記枠体本体から延出するヒレ部を有する枠体と、
前記ヒレ部に沿うように延出し、前記ヒレ部を躯体と挟み込んだ状態で締結部材により躯体に締結された第一延出部と、前記第一延出部の一端部から前記枠体本体に沿うように室外側へ向かって延出する第二延出部と、を有するＬ字形状の補強部材と、
を有する建具であって、
前記第一延出部と前記ヒレ部に挟まれて圧縮された第一部分と、前記第二延出部と前記枠体本体に挟まれて圧縮された第二部分と、を有するＬ字形状の水密材を備え、
前記第二部分の室外側先端部以外の部分に、圧縮された前記第二部分の前記第二延出部に対する反発力を軽減するための軽減部が設けられていることを特徴とする建具。
【請求項２】
請求項１に記載の建具であって、
前記軽減部は、穴部であることを特徴とする建具。
【請求項３】
請求項１又は請求項２に記載の建具であって、
前記第二延出部は、前記枠体本体に向かって突出した突出部を有することを特徴とする建具。
【請求項４】
請求項３に記載の建具であって、
前記軽減部は、穴部であり、
前記突出部が前記穴部内に位置した状態で前記突出部の先端が前記枠体本体に当接していることを特徴とする建具。
【請求項５】
請求項２乃至請求項４のいずれかに記載の建具であって、
前記第二延出部は、穴部を備えることを特徴とする建具。
【請求項６】
請求項４に記載の建具であって、
前記第二延出部は、該第二延出部の延出方向において前記突出部と隣り合う位置に穴部を備え、
前記突出部は、該穴部よりも室内側に位置することを特徴とする建具。
【発明の詳細な説明】
【技術分野】
【０００１】
本発明は、建具に関する。特に、枠体本体と枠体本体から延出したヒレ部を有する枠体を有する建具に関する。
【背景技術】
【０００２】
枠体を有する窓等の建具は、既によく知られている。かかる枠体は、枠体本体と当該枠体本体から延出するヒレ部を備えている。
【０００３】
そして、枠体本体及びヒレ部には、枠体を補強するＬ字形状の補強部材が取り付けられている。この補強部材は、ヒレ部に沿うように延出し、ヒレ部を躯体と挟み込んだ状態で締結部材により躯体に締結された第一延出部と、第一延出部の一端部から枠体本体に沿うように室外側へ向かって延出する第二延出部を有している。
【先行技術文献】
【特許文献】
【０００４】
【特許文献１】特許第５６３８４７４号公報
【発明の概要】
【発明が解決しようとする課題】
【０００５】
枠体と補強部材との間に水が浸入しないように、これらの間に水密材を設けることが考えられる。すなわち、第一延出部とヒレ部に挟まれて圧縮された第一部分と、第二延出部と枠体本体に挟まれて圧縮された第二部分と、を有するＬ字形状の水密材を設けることにより、水の浸入を防ぐことができる。
【０００６】
しかしながら、水密材が枠体と補強部材とに挟まれて過度に圧縮されると、圧縮された水密材の補強部材に対する反発力が大きくなり、補強部材と枠体との間隔が広がって、水が浸入し易くなる課題があった。
【０００７】
本発明は、かかる課題に鑑みてなされたものであり、その目的とするところは、枠体と補強部材との間に水が浸入することを適切に抑えることにある。
【課題を解決するための手段】
【０００８】
かかる目的を達成するために本発明の建具は、枠体本体と前記枠体本体から延出するヒレ部を有する枠体と、
前記ヒレ部に沿うように延出し、前記ヒレ部を躯体と挟み込んだ状態で締結部材により躯体に締結された第一延出部と、前記第一延出部の一端部から前記枠体本体に沿うように室外側へ向かって延出する第二延出部と、を有するＬ字形状の補強部材と、
を有する建具であって、
前記第一延出部と前記ヒレ部に挟まれて圧縮された第一部分と、前記第二延出部と前記枠体本体に挟まれて圧縮された第二部分と、を有するＬ字形状の水密材を備え、
前記第二部分の室外側先端部以外の部分に、圧縮された前記第二部分の前記第二延出部に対する反発力を軽減するための軽減部が設けられていることを特徴とする建具である。
【０００９】
このような建具によれば、当該軽減部を設けることにより、反発力が全体的に小さくなる。そのため、枠体と補強部材との間隔（第二延出部と枠体本体との間隔）が広がることを抑止し、枠体と補強部材との間に水が浸入することを適切に抑えることが可能となる。
【００１０】
かかる建具であって、
前記軽減部は、穴部であることが望ましい。
【００１１】
このような建具によれば、反発力を軽減する効果がより大きくなる。そのため、枠体と補強部材との間隔（第二延出部と枠体本体との間隔）が広がることをより抑止し、枠体と補強部材との間に水が浸入することをより適切に抑えることが可能となる。
【００１２】
かかる建具であって、
前記第二延出部は、前記枠体本体に向かって突出した突出部を有することが望ましい。
【００１３】
このような建具によれば、水密材の第二部分の圧縮度合いを作業者によらず一定（一律）とすることができる。そのため、圧縮度合いが過度に大きい状態で作業者が補強部材及び水密材を枠体に取り付けてしまう誤りが起こらなくなる。したがって、水密材の反発力が大きすぎて水の浸入が生じてしまうという不都合の発生を適切に防止することができる。
【００１４】
かかる建具であって、
前記軽減部は、穴部であり、
前記突出部が前記穴部内に位置した状態で前記突出部の先端が前記枠体本体に当接していることが望ましい。
【００１５】
このような建具によれば、直接的に先端が枠体本体に当接するため、先端が枠体本体に当接する感触を作業者が得やすい。そのため、水密材（第二部分）の圧縮度合いを作業者によらず確実に一定（一律）とすることができる。したがって、水密材（第二部分）の反発力が大きすぎて水の浸入が生じてしまうという不都合の発生をより一層適切に防止することができる。
【００１６】
かかる建具であって、
前記第二延出部は、穴部を備えることが望ましい。
【００１７】
このような建具によれば、水が、入口から万が一侵入してしまったとしても、躯体に到達する手前で、当該穴部から抜けてくれる。したがって、下枠と補強部材との間に水が浸入してしまったとしても、躯体に水が到達することを抑止することが可能となる。
【００１８】
かかる建具であって、
前記第二延出部は、該第二延出部の延出方向において前記突出部と隣り合う位置に穴部を備え、
前記突出部は、該穴部よりも室内側に位置することが望ましい。
【００１９】
このような建具によれば、水しぶきが万が一飛んで穴部から入ったとしても、枠体本体に当接している突出部の先端が当該水しぶきをブロックするため、水しぶきの躯体側（室内側）への移動を回避することが可能となる。
【発明の効果】
【００２０】
本発明によれば、枠体と補強部材との間に水が浸入することを適切に抑えることができる。
【図面の簡単な説明】
【００２１】
【図１】引き違い窓１０の縦断面図である。
【図２】引き違い窓１０の横断面図である。
【図３】下枠３２とその周辺の構成を示した断面図である。
【図４】補強部材６０の斜視図である。
【図５】水密材７０の斜視図である。
【図６】補強部材６０と水密材７０とを組み合わせた状態を示した斜視図である。
【図７Ａ】図３の下枠３２、補強部材６０、及び、水密材７０を拡大した拡大断面図である。
【図７Ｂ】図７Ａに示された補強部材６０、及び、水密材７０の取り付け前の状態を示した拡大断面図である。
【図８Ａ】下枠３２、補強部材６０、及び、水密材７０を補強部材６０（水密材７０）の左右方向中央で切断した切断面を示した図である。
【図８Ｂ】図８Ａに示された補強部材６０、及び、水密材７０の取り付け前の状態を示した図である。
【図９】他の実施形態に係る下枠３２、補強部材６０、及び、水密材７０を補強部材６０（水密材７０）の左右方向中央で切断した切断面を示した図である。
【発明を実施するための形態】
【００２２】
＝＝＝本実施の形態に係る引き違い窓１０について＝＝＝
本実施の形態に係る建具の一例としての引き違い窓１０について、図１及び図２を用いて説明する。
【００２３】
なお、以下の説明においては、建物等に取り付けられた状態の引き違い窓１０を室内側から見たときに、上下となる方向を上下方向、左右となる方向を左右方向、室内外方向である奥行き方向を見込み方向として示す。引き違い窓１０の各部位であっても、また、引き違い窓１０を構成する各部材については単体の状態であっても、建物等に取り付けられた状態にて上下方向、左右方向、見込み方向となる方向にて方向を特定して説明する。
【００２４】
本実施形態に係る引き違い窓１０は、合成樹脂製の窓であり、枠体２０と、障子４０とを備えている。もちろん、引き違い窓１０はアルミニウム合金製でもよい。
【００２５】
枠体２０は、上枠３０と下枠３２と左右の縦枠３５とを備えている。上枠３０と下枠３２と左右の縦枠３５のいずれもが、合成樹脂製の押出成形部材である。そして、枠体２０は、これら４つの枠体が矩形状に枠組みされて、全体として開口を形成している。上枠３０と下枠３２は、左右方向に延びた長尺状の部材であり、縦枠３５は、上下方向に延びた長尺状の部材である。
【００２６】
障子４０は、枠体２０により形成された前記開口に収容される部材であり、外障子４０ａ及び内障子４０ｂを備える。
【００２７】
障子４０は、枠体２０に対してスライド可能に設けられる。障子４０は、框体４１と、框体４１により形成された開口に取り付けられる複層ガラス４２と、を有している。
【００２８】
＜＜＜下枠３２とその周辺の構成について＞＞＞
次に、本実施の形態に係る下枠３２とその周辺の構成について、図３乃至図８Ｂを用いて説明する。なお、図８Ａは、下枠３２、補強部材６０、及び、水密材７０を、図６の一点鎖線で切断した切断面を示した図である。
【００２９】
下枠３２（枠体２０）は、枠体本体の一例としての下枠本体５０と、ヒレ部の一例としての下枠ヒレ部５２（所謂釘ヒレ）を備えている。
【００３０】
下枠本体５０は、障子４０の下側に位置し、障子４０（外障子４０ａ及び内障子４０ｂ）を支持する部分である。
【００３１】
下枠ヒレ部５２は、図３に示すように、下枠本体５０から延出する延出部分であり、下枠３２を躯体８０に締結部材の一例としてのネジ８２で固定する際の固定部としての機能を有している。この下枠ヒレ部５２は、下枠本体５０から下方へ、換言すれば、下枠本体５０と略直交する直交方向へ延出している。また、下枠ヒレ部５２は、下枠３２（下枠本体５０）の左右方向における一端部から他端部に亘って備えられている。
【００３２】
また、下枠本体５０及び下枠ヒレ部５２には、後述する水密材７０を介して補強部材６０が取り付けられている。この補強部材６０は、枠体２０を補強するためのものである。特に、当該補強部材６０は、下枠３２に対して設けられているため、障子４０の重み（障子４０にかかる重力）により下枠３２（下枠本体５０）の室外側の部分（図１において、符号Ａで示す部分）が垂れ下がってしまうのを、下枠３２（下枠本体５０）を支持することで抑止する役割を果たす。なお、本実施の形態において、当該補強部材６０は、金属製（ステンレス製）の部材であり、左右方向において等間隔で複数（本実施の形態においては、３つ）設けられている。
【００３３】
補強部材６０は、図４及び図７Ａに示すように、Ｌ字形状（厳密なＬ字形を必須とするものではない）を有しており、当該Ｌ字形状が互いに略直交する下枠ヒレ部５２及び下枠本体５０のＬ字部分に沿うように、下枠ヒレ部５２から下枠本体５０に亘って取り付けられている。すなわち、補強部材６０は、下枠ヒレ部５２に沿うように下方へ延出する第一延出部６２と、当該第一延出部６２の一端部６２ａから下枠本体５０に沿うように室外側へ向かって延出する第二延出部６４を備えている。第一延出部６２は、下枠ヒレ部５２の室外側に位置し、第二延出部６４は、下枠本体５０の下方に位置している。
【００３４】
また、下枠ヒレ部５２が、下枠３２を躯体８０にネジ８２で固定する際の固定部としての機能を有することを述べたが、当該下枠ヒレ部５２は、補強部材６０と躯体８０とに挟まれた状態で躯体８０にネジ止めされている。つまり、図３に示すように、補強部材６０の第一延出部６２が、下枠ヒレ部５２を躯体８０と挟み込んだ状態でネジ８２により躯体８０に締結されている。
【００３５】
また、下枠３２（下枠本体５０及び下枠ヒレ部５２）と補強部材６０との間には、水密材７０が設けられている。すなわち、水密材７０は、図７Ａと図７Ｂ（または、図８Ａと図８Ｂ）を比較することにより明らかなとおり、下枠３２（下枠本体５０及び下枠ヒレ部５２）と補強部材６０に挟まれて圧縮されている。なお、本実施の形態において、水密材７０は、合成樹脂製（スポンジ製）の部材であり、補強部材６０と同様、左右方向において等間隔で複数（本実施の形態においては、３つ）設けられている。
【００３６】
この水密材７０は、下枠３２（下枠本体５０及び下枠ヒレ部５２）と補強部材６０との間に水が浸入するのを抑えるためのものである。
【００３７】
具体的に説明すると、図３に示すように、下枠３２（下枠本体５０）の下側には、外壁８４が設けられており、下枠本体５０と外壁８４の上端との間はシール材８６でシールされている。また、補強部材６０（第二延出部６４）が設けられた位置においても、当該補強部材６０（第二延出部６４）の下側には外壁８４が設けられている。そして、外壁８４と補強部材６０との間は、シール材８６でシールされているため、水密材７０が設けられていない場合には、下枠３２と補強部材６０との間が、外部から水が侵入する唯一の経路となる（外部から水が浸入すると、外壁８４よりも室内側に水が入り込んでしまう）。そして、かかる場合には、図３に示すように、下枠本体５０、第二延出部６４間の入口Ｇ１から侵入し出口Ｇ２まで移動した水が、出口Ｇ２から落下して躯体８０を濡らしてしまう可能性がある（また、水が、出口Ｇ２まで移動する前に、ネジ８２を伝わって躯体８０内に侵入してしまう恐れもある）。そこで、このような不都合が生じないように、水密材７０が設けられている。
【００３８】
水密材７０は、補強部材６０と略同様の形状を有している。すなわち、水密材７０は、図５及び図７Ａに示すように、Ｌ字形状（厳密なＬ字形を必須とするものではない）を有しており、当該Ｌ字形状が、互いに略直交する下枠ヒレ部５２及び下枠本体５０のＬ字部分と補強部材６０のＬ字形状の双方に沿うように、下枠３２（下枠本体５０及び下枠ヒレ部５２）と補強部材６０との間に設けられている。つまり、水密材７０は、第一延出部６２と下枠ヒレ部５２に挟まれて圧縮された第一部分７２と、第二延出部６４と下枠本体５０に挟まれて圧縮された第二部分７４とを備えている。
【００３９】
第一部分７２は、第一延出部６２と同様、下枠ヒレ部５２に沿うように下方へ延出し、また、第二部分７４は、第二延出部６４と同様、該第一部分７２の一端部７２ａから下枠本体５０に沿うように室外側へ向かって延出している。なお、図６及び図７Ａに示すように、第一延出部６２の延出先端と第一部分７２の延出先端の延出方向における位置は一致し、第二延出部６４の延出先端と第二部分７４の延出先端の延出方向における位置も一致している。
【００４０】
また、第一延出部６２が、下枠ヒレ部５２を躯体８０と挟み込んだ状態でネジ８２により躯体８０に締結されていることを述べたが、第一延出部６２は、水密材７０も挟み込んでいる。すなわち、第一延出部６２と躯体８０が第一部分７２及び下枠ヒレ部５２を挟み込んだ状態で第一延出部６２がネジ８２により躯体８０に締結されている。
【００４１】
ところで、水密材７０が下枠３２（下枠本体５０及び下枠ヒレ部５２）と補強部材６０に挟まれて圧縮されると、圧縮された水密材７０の補強部材６０に対する反発力（水密材７０が補強部材６０を押圧する力）が生じる。そして、当該圧縮が過度になると当該反発力が大きくなり、補強部材６０と下枠３２との間隔が広がって、水が浸入し易くなる問題が生じ得る。特に、本実施の形態においては、第一延出部６２と躯体８０が第一部分７２及び下枠ヒレ部５２を挟み込んだ状態で第一延出部６２がネジ８２により躯体８０に締結されているので（すなわち、補強部材６０の締結は第一延出部６２のみの締結なので）、下枠本体５０と第二延出部６４との間隔が水密材７０の反発力により広がり易くなっている。
【００４２】
そこで、図５及び図８Ａに示すように、第二部分７４の室外側先端部７４ａ以外の部分に、圧縮された第二部分７４の第二延出部６４に対する反発力を軽減するための軽減部（本実施の形態においては、面積を小さくするための穴部７４ｂ）を設けている。つまり、当該軽減部（穴部７４ｂ）を設けることにより、反発力の発生部位の面積を減らすことができるから、反発力が全体的に小さくなる。そのため、下枠３２と補強部材６０との間隔（第二延出部６４と下枠本体５０との間隔）が広がることを抑止し、下枠３２と補強部材６０との間に水が浸入することを適切に抑えることが可能となる。
【００４３】
一方で、穴部７４ｂを第二部分７４の室外側先端部７４ａ以外の部分に設けることとしため、穴部７４ｂを設けたことによる止水能力の低下は発生しない。すなわち、水の侵入経路における入口Ｇ１には、穴部７４ｂを設けず水密材７０を残してあるので、水の浸入を確実に抑えることができる。
【００４４】
なお、本実施の形態に係る穴部７４ｂは、図５に示すように、矩形形状を備えている。そして、見込み方向においては、室外側先端部７４ａを除いて、（室内側の先端まで）第二部分７４の全てに穴部７４ｂが設けられ、左右方向においては、両端部７４ｃを除いて穴部７４ｂが設けられている。
【００４５】
このように、本実施の形態においては、水密材７０の反発力を低下させて水の侵入を適切に抑えるために、水密材７０に穴部７４ｂを設けている。しかしながら、当該反発力の大きさは、補強部材６０及び水密材７０を下枠３２に取り付ける作業者の取り付け作業により変動し得る。すなわち、補強部材６０及び水密材７０を下枠３２に取り付ける際の水密材７０の圧縮度合いが作業者によって異なるため（区々となるため）反発力も異なり、圧縮度合いが過度に大きい状態で作業者が取り付けてしまった場合には、（穴部７４ｂで反発力を低下させたのに）反発力が大きすぎて水の浸入が生じてしまうという不都合が生じ得る。
【００４６】
そこで、図４及び図８Ａに示すように、補強部材６０の第二延出部６４に、突出部（本実施の形態においては、切り起こし部６４ａ）を設けている。この切り起こし部６４ａを第二延出部６４に設けたことにより、作業者が、補強部材６０及び水密材７０を下枠３２に取り付ける際に、切り起こし部６４ａの先端６４ｂが下枠本体５０に当接することとなる（図８Ａ参照）。そして、作業者は、当該先端６４ｂが下枠本体５０に当接する感触を得ることができるので、図８Ａに示すように、当接したところで（当該感触を得たところで）補強部材６０をネジ８２で固定するようにすれば、第二延出部６４の下枠本体５０に対する相対位置は作業者によらず一定（一律）となる。そのため、第二延出部６４と下枠本体５０に挟まれた第二部分７４（特に、室外側先端部７４ａ）の圧縮度合いも作業者によらず一定（一律）となる。
【００４７】
このように、本実施の形態においては、図８Ａに示したように、第二延出部６４が下枠本体５０に向かって突出した突出部（切り起こし部６４ａ）を備えるようにしたため、第二部分７４（室外側先端部７４ａ）の圧縮度合いを作業者によらず一定（一律）とすることができる（前記圧縮度合いの作業者によるばらつきを解消することができる）。そのため、圧縮度合いが過度に大きい状態で作業者が補強部材６０及び水密材７０を下枠３２に取り付けてしまう誤りが起こらなくなる。したがって、水密材７０（第二部分７４）の反発力が大きすぎて水の浸入が生じてしまうという不都合の発生を適切に防止することができる。
【００４８】
なお、本実施の形態においては、切り起こし部６４ａは矩形形状を備えており、図８Ａに示すように、切り起こし部６４ａが穴部７４ｂ内に位置した状態で切り起こし部６４ａの先端６４ｂが下枠本体５０に当接している。つまり、切り起こし部６４ａの左右方向における両端は、穴部７４ｂの左右方向における両端よりも内側に位置し、切り起こし部６４ａの見込み方向における両端は、穴部７４ｂの見込み方向における両端よりも内側に位置している。そのため、作業者が、補強部材６０及び水密材７０を下枠３２に取り付ける際には、切り起こし部６４ａが穴部７４ｂ内に挿入されることとなる。
【００４９】
また、本実施の形態においては、先端６４ｂが下枠本体５０に当接する際の第二部分７４（具体的には、室外側先端部７４ａ）の圧縮度合い（以下、当接時圧縮率と呼ぶ）が、水密材７０の仕様上の適正圧縮度合い（以下、適正圧縮率と呼ぶ）と等しいか、それよりも高くなるように設定されている。ここで、当該適正圧縮率とは、水密材７０の止水能力を適正に発揮させるために最低限必要な圧縮度合いである。つまり、当該適正圧縮率が例えば６０％であるとすれば、当接時圧縮率を６０％か６０％よりも高くなるように設定している。なお、水密材７０は圧縮率を過度に高くすると、前記反発力が上昇してしまう。そのため、かかる事項を考慮すると、当接時圧縮率を、適正圧縮率に略等しく設定するのが望ましい。
【００５０】
このように、本実施の形態においては、第二部分７４（室外側先端部７４ａ）の圧縮度合いを作業者によらず一定（一律）とすることにより、水密材７０（第二部分７４）の反発力が大きすぎて水の浸入が生じてしまうという不都合の発生を適切に防止するとともに、作業者によらず所望の止水能力を確実に発揮させることもできる。
【００５１】
本実施の形態においては、水の浸入防止及び適切な止水能力の発揮を実現するために、補強部材６０の第二延出部６４に切り起こし６４ａを設けたが、このことにより、当該第二延出部６４には、図４及び図８Ａに示すように、穴部が生ずる。そして、当該穴部は、水抜き穴６６としての機能を発揮する。つまり、本実施の形態においては、当該水抜き穴６６が設けられているため、水が、入口Ｇ１から万が一侵入してしまったとしても、躯体８０に到達する手前で、当該水抜き穴６６から抜けてくれる（落下してくれる。落下する様子を図８Ａに白矢印で示す）。したがって、下枠３２と補強部材６０との間に水が浸入してしまったとしても、躯体８０に水が到達することを抑止することが可能となる。
【００５２】
なお、本実施の形態においては、図４に示すように、水抜き穴６６として、３箇所の水抜き穴（便宜上、第一水抜き穴６６ａ、第二水抜き穴６６ｂ、第三水抜き穴６６ｃと呼ぶ）が備えられている。いずれの水抜き穴６６も、水密材７０の穴部７４ｂに対応した位置に設けられている。
【００５３】
切り起こし部６４ａの先端６４ｂが切り起こし部６４ａの支点６４ｃよりも見込み方向において室外側に位置するように形成されているため、第一水抜き穴６６ａは、第二延出部６４の延出方向（見込み方向）において切り起こし部６４ａと隣り合い、かつ、切り起こし部６４ａよりも室外側に位置している。また、第二水抜き穴６６ｂ及び第三水抜き穴６６ｃは、左右方向において切り起こし部６４ａと隣り合い、かつ、切り起こし部６４ａよりも外側に位置している。
【００５４】
＝＝＝その他の実施形態＝＝＝
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【００５５】
上記実施の形態においては、建具として、引き違い窓１０を例に挙げて説明したが、これに限定されるものではなく、枠体を有する建具であればどのようなものでも構わない。
【００５６】
また、上記実施の形態においては、補強部材６０及び水密材７０を設ける枠体２０として下枠３２（下枠本体５０及び下枠ヒレ部５２）を例に挙げて説明したが、これに限定されるものではない。例えば、上枠３０（上枠本体３０ａ及び上枠ヒレ部３０ｂ）や縦枠３５（縦枠本体３５ａ及び縦枠ヒレ部３５ｂ）に対して設けることとしてもよい。すなわち、本発明は、下枠３２に対して設けられる補強部材６０及び水密材７０だけでなく上枠３０や縦枠３５に対して設けられる補強部材６０及び水密材７０に適用することも可能である。
【００５７】
また、上記実施の形態においては、反発力を軽減するための軽減部として穴部７４ｂを設けることとしたが、これに限定されるものではない。例えば、穴部７４ｂの代わりに、水密材７０の厚みが他の箇所よりも薄い薄厚部を設けることとしてもよい。
【００５８】
ただし、軽減部を穴部７４ｂとした方が、薄厚部とするよりも反発力を軽減する効果がより大きいため、かかる点で、上記実施の形態の方が望ましい。
【００５９】
また、上記実施の形態においては、前記軽減部が穴部７４ｂであり、突出部（切り起こし部６４ａ）が穴部７４ｂ内に位置した状態で突出部（切り起こし部６４ａ）の先端６４ｂが下枠本体５０に当接していることとしたが、これに限定されるものではない。例えば、当該軽減部が前記薄厚部である場合には、突出部（切り起こし部６４ａ）の先端６４ｂが、薄厚部を間に挟んだ状態で下枠本体５０に当接することとしてもよい。
【００６０】
ただし、上記実施の形態においては、直接的に先端６４ｂが下枠本体５０に当接するため、先端６４ｂが下枠本体５０に当接する感触を作業者が得やすい。そのため、第二部分７４（室外側先端部７４ａ）の圧縮度合いを作業者によらず確実に一定（一律）とすることができる。したがって、水密材７０（第二部分７４）の反発力が大きすぎて水の浸入が生じてしまうという不都合の発生をより一層適切に防止することができる。かかる点で、上記実施の形態の方が望ましい。
【００６１】
また、上記実施の形態においては、図８Ａに示したように、切り起こし部６４ａの先端６４ｂが切り起こし部６４ａの支点６４ｃよりも見込み方向において室外側に位置するように形成されていた。そのため、第二延出部６４は、第二延出部６４の延出方向（見込み方向）において切り起こし部６４ａと隣り合う位置に水抜き穴６６（すなわち、第一水抜き穴６６ａ）を備え、切り起こし部６４ａは第一水抜き穴６６ａよりも室内側に位置することとした。
【００６２】
しかしながら、これに限定されるものではなく、例えば、図９に示すように、切り起こし部６４ａの先端６４ｂが切り起こし部６４ａの支点６４ｃよりも見込み方向において室内側に位置するように形成され、切り起こし部６４ａが第一水抜き穴６６ａよりも室外側に位置することとしてもよい。
【００６３】
ただし、上記実施の形態においては、建物等の建設中に外壁８４及びシール材８６が存在しないときや建設後においてシール材８６が不測の事態により破れてしまったとき等に、水しぶきが万が一下側から上方に向けて飛んで、第一水抜き穴６６ａから入ったとしても（図８Ａにおいて右上へ向かう黒矢印参照）、下枠本体５０に当接している切り起こし部６４ａの先端６４ｂが当該水しぶきをブロックするため、水しぶきの躯体８０側（室内側）への移動を回避することが可能となる。かかる点で、上記実施の形態の方が望ましい。
【００６４】
また、上記実施の形態においては、第二延出部６４の突出部として切り起こし部６４ａを例に挙げて説明したが、これに限定されるものではない。例えば、第二延出部６４を切るのではなく、第二延出部６４の一方面を凹ませ他方面を膨らませて第二延出部６４に突出部としての凸部を形成することとしてもよい。
【００６５】
ただし、突出部を切り起こし部６４ａとすることにより、自動的に水抜き穴６６が形成されるため、水抜き穴６６を別途形成する必要がなくなるというメリットが生じる点で、上記実施の形態の方が望ましい。
【符号の説明】
【００６６】
１０  引き違い窓、
２０  枠体、３２  下枠、
５０  下枠本体、５２  下枠ヒレ部、
６０  補強部材、６２  第一延出部、６２ａ  一端部、
６４  第二延出部、６４ａ  切り起こし部、６４ｂ  先端、
６６  水抜き穴、６６ａ  第一水抜き穴、
７０  水密材、７２  第一部分、７２ａ  一端部、
７４  第二部分、７４ａ  室外側先端部、７４ｂ  穴部、
８０  躯体、８２  ネジ、
【図１】
2017133215.tif 000003
【図２】
2017133215.tif 000004
【図３】
2017133215.tif 000005
【図４】
2017133215.tif 000006
【図５】
2017133215.tif 000007
【図６】
2017133215.tif 000008
【図７Ａ】
2017133215.tif 000009
【図７Ｂ】
2017133215.tif 000010
【図８Ａ】
2017133215.tif 000011
【図８Ｂ】
2017133215.tif 000012
【図９】
2017133215.tif 000013